(57)【要約】【課題】三脚固定ネジ穴をカメラのレンズ鏡筒直下に配置し、且つカメラの高さ寸法を大きくしないで、十分な取付け強度を確保することのできる三脚ネジ取付装置を提供する。【解決手段】三脚ネジ受け具２０には三脚固定ネジ穴２０ａが設けられており、カメラ本体１１の底部には嵌合穴１１ａが設けられている。三脚ネジ受け具２０はカメラ本体１１への取付けの際にカメラ本体１１の底面より垂直に離れ、雲台４１の天面に当接し固定される。三脚ネジ受け具２０が雲台４１の天面に当接する直前に、三脚ネジ受け具２０のストッパー２０ｂがカメラ本体１１の前後の底部側面に設けられたストッパー１１ｂに当接するので、三脚ネジ受け具２０が雲台４１の天面に当接した後には、三脚ネジ受け具２０には張力が働き、カメラ本体１１との間が強固に一体となり、カメラ本体１１は雲台４１の天面に固定される。【選択図】図４
2007279153.tif 000002
【特許請求の範囲】
【請求項１】
カメラ本体の下面に設けられた三脚ネジ取付装置において、カメラを三脚に取付ける際の操作によって、前記カメラ本体の下面より垂直に移動し前記三脚の雲台に圧接することで、前記カメラを前記三脚に固定するための三脚ネジ受け具を備え、前記三脚ネジ受け具に隣接したカメラ本体下部には、前記三脚ネジ受け具に設けられた三脚固定ネジ穴と同芯の位置に三脚ネジ嵌合穴が配置され、前記三脚に取付けられた三脚ネジによって前記三脚ネジ受け具が前記雲台に圧接した時には、前記嵌合穴に前記三脚ネジの先端が嵌合することを特徴とするカメラの三脚ネジ取付装置。
【請求項２】
前記三脚ネジ受け具は、レンズ鏡筒の下方に配置され、光軸方向の前後にコの字状に形成されたことを特徴とする請求項１記載のカメラの三脚ネジ取付装置。
【請求項３】
前記三脚ネジ受け具は、レンズ鏡筒の下方に配置され、一対のリンク部材およびバネによって前記カメラ本体に支持され、前記カメラが三脚に取付けられていない状態の時は、前記バネの復元力によって前記カメラ本体内に収納されることを特徴とする請求項１記載のカメラの三脚ネジ取付装置。
【請求項４】
前記三脚ネジ受け具は、レンズ鏡筒の下方に配置され、引っ張り応力と曲げ応力、復元力を有した一対の高張力弾性部材によって前記カメラ本体に支持され、前記カメラが三脚に取付けられていない状態の時は、前記カメラ本体内に前記一対の高張力弾性部材自身の復元力によって収納されることを特徴とする請求項１記載のカメラの三脚ネジ取付装置。
【請求項５】
前記請求項１ないし４いずれか記載の三脚ネジ取付装置を備えたことを特徴とするデジタルカメラ。
【発明の詳細な説明】
【技術分野】
【０００１】
本発明は、被写体像を撮影するカメラを三脚に固定するためにカメラ内に設けられる三脚ネジ取付装置に関するものである。
【背景技術】
【０００２】
カメラを固定するために従来より三脚が用いられている。カメラ本体の底面には三脚に取付けるためのネジ穴（以下、三脚固定ネジ穴という）が設けられており、三脚の頭部にはカメラを乗せるための台（以下、雲台という）が設けられ、これにカメラ本体の底面に設けられた三脚固定ネジ穴に螺合するネジ（以下、三脚ネジという）が準備されており、カメラは三脚の頭部にある雲台に三脚ネジによって固定される。
【０００３】
一般的にはこの三脚固定ネジ穴は、カメラのレンズ鏡筒下部、特に光軸と同一線上に配置されることが、撮影時の使い勝っての観点から好ましいとされている（下記特許文献１参照）。
【０００４】
しかしながら、レンズ鏡筒周辺部はカメラの一等地と呼ばれるほどスペースの確保が難しく、特に明るく大きなレンズを用いたものなどは、レンズ鏡筒下部には僅かなスペースもない。特にデジタルカメラの場合、後カバー全面に液晶表示パネルが配置されることがあり、レンズ鏡筒下部のスペース確保が難しく、ここへ無理に三脚固定ネジ穴を配置すると、カメラの高さ寸法が大きくなって、デザイン上も好ましくない。
【０００５】
そのため低背小型化したカメラでは、使い勝ってを犠牲にしてまでも、三脚固定ネジ穴をレンズ鏡筒下部からずらして、カメラのデッドスペース、たとえば電池収納室の下などに配置するものもある（下記特許文献２参照）。
【特許文献１】特開平０８−３０４９０２号公報
【特許文献２】特開平１１−００７０７４号公報
【発明の開示】
【発明が解決しようとする課題】
【０００６】
三脚に取付けられたカメラの使い勝ってを優先させるためには三脚固定ネジ穴をカメラのレンズ鏡筒下部に配置しなければならないが、それではカメラの高さ寸法が大きくなってしまう。かといって三脚固定ネジ穴をカメラのレンズ鏡筒下部以外の場所に配置すると、三脚の使い勝ってを犠牲にしてしまうことになる。
【０００７】
本発明は、カメラのレンズ鏡筒下部に配置しても、カメラの高さ寸法を大きくすることなく、あわせて十分な取付け強度を確保することのできる三脚固定ネジ穴のついた三脚ネジ取付装置を提供することを目的としている。
【課題を解決するための手段】
【０００８】
カメラを三脚に固定するために必要となる三脚固定ネジ穴の高さ寸法を薄くすることで、レンズ鏡筒下部に配置可能とし、三脚への取付け時には三脚固定ネジ穴を構成する部品がカメラ外部へ移動し、カメラ本体側の部品に設けた嵌合穴との間で十分な距離を確保することで、カメラを三脚に強固に固定されるようにしたことを特徴とするカメラの三脚ネジ取付装置。
【０００９】
前記カメラを三脚に取付ける際の操作によって、カメラ本体の下面より垂直に移動し前記三脚の雲台に圧接することで、前記カメラを前記三脚に固定するための三脚ネジ受け具を備えている。
【００１０】
前記三脚ネジ受け具は、光軸方向の前後にコの字状に形成されることで、カメラ本体の下面より垂直に移動するようにすると良い。
【００１１】
前記三脚ネジ受け具は、一対のリンク部材によってカメラ本体に支持され、前記カメラが三脚に取付けられていない状態の時は、バネによって前記カメラ本体内に収納されるようにしても良い。
【００１２】
前記三脚ネジ受け具は、特殊ゴムなど優れた引っ張り応力強度、伸張性と曲げ応力、復元力を有した一対の高張力弾性部材によってカメラ本体に支持され、前記カメラが三脚に取付けられていない状態の時は、前記カメラ本体内に自身の張力によって収納されるようにしても良い。
【００１３】
前記三脚ネジ受け具に隣接したカメラ本体下部には、前記三脚ネジ受け具に設けられた前記三脚固定ネジ穴と同芯の位置に三脚ネジの嵌合穴が配置され、前記三脚に取付けられた三脚ネジによって前記三脚ネジ受け具が前記雲台に圧接した時には、前記嵌合穴に前記三脚ネジが嵌合することで、カメラを三脚に強固に固定されるようにしたことを特徴とする。
【発明の効果】
【００１４】
カメラのレンズ鏡筒下部に三脚固定ネジ穴を配置しても、カメラの高さ寸法を大きくすることがなく、且つ三脚の使い勝っても良い。カメラを三脚に取付けるときには、三脚固定ネジ穴の設けられた三脚ネジ受け具をカメラ本体の外に出すことで、十分な取付け強度を確保でき、取付けない時にはカメラ本体内に収納される構造であるため、デザイン的にも好ましい。
【発明を実施するための最良の形態】
【００１５】
以下、本発明の実施形態について説明する。図１に示すように、カメラ本体１１の前面には、撮影レンズ１２が組み込まれるレンズ鏡筒１３、ファインダを構成するファインダ対物窓１４、被写体に向けてフラッシュ光を照射するストロボ発光部１６が設けられており、カメラ本体１１の上面には、シャッタレリーズ操作に用いられるシャッタボタン１７が設けられている。また、レンズ鏡筒１３の下部にはデジタルカメラ１０を三脚に取付ける時に使用する三脚固定ネジ穴２０ａの設けられている三脚ネジ受け具２０が配置されている。カメラ本体１１の一方の側面には、メモリカードが着脱自在に収容されるメモリカードスロット１９が設けられており、このメモリカードスロット１９に収容されたメモリカードには撮影された画像データが記録される。
【００１６】
カメラ本体１１を背面から見たところを図２に示す。ファインダを構成するファインダ接眼窓１５、液晶表示（ＬＣＤ）パネル１８、の他、電源ボタンや各種のメニューボタン、モード選択ボタン、などが設けられている。
【００１７】
図３はデジタルカメラ１０が三脚４０に取付けられた状態を示している。三脚４０の頭部に設けられた雲台４１にはデジタルカメラ１０を固定するための三脚ネジ４５が取付けられており、三脚ネジ４５をデジタルカメラ１０の底部に設けられた三脚固定ネジ穴２０ａに螺合させることにより、デジタルカメラ１０が三脚４０の頭部に設けられた雲台４１に強固に固定される。
【００１８】
デジタルカメラ１０が固定された雲台４１は、アーム４２によりその姿勢を自在に変化させることができるようになっており、それによってデジタルカメラ１０の撮影レンズ１２の方向を簡単に選択固定することが可能な構造となっている。
【００１９】
図４はカメラ本体１１を雲台４１に固定する前の状態を示し、図５は雲台４１にカメラ本体１１を固定した後の状態を示している。
【００２０】
三脚ネジ受け具２０には三脚固定ネジ穴２０ａが設けられており、カメラ本体１１の底部には嵌合穴１１ａが設けられている。三脚ネジ受け具２０は全体がコの字状に形成され前記カメラ本体１１の底面を覆っている。また先端にはストッパー２０ｂが設けられており、前記カメラ本体１１の前後の底部側面に設けられたストッパー１１ｂと対峙して配置されている。
【００２１】
前記デジタルカメラ１０を前記雲台４１に取付けるには、前記三脚ネジ４５の先端に前記三脚固定ネジ穴２０ａを合わせ、時計方向に回す。これにより前記三脚ネジ４５が前記三脚固定ネジ穴２０ａの中を進み、続いて前記嵌合穴１１ａと嵌合し、前記三脚ネジ４５の先端が前記嵌合穴１１ａの底面に当接する。更に前記三脚ネジ４５を回すと前記三脚ネジ受け具２０が前記カメラ本体１１の底面より垂直に離れ、前記雲台４１の天面に当接する。
【００２２】
前記三脚ネジ受け具２０が前記雲台４１の天面に当接する直前に、前記三脚ネジ受け具２０のストッパー２０ｂが前記カメラ本体１１の前後の底部側面に設けられたストッパー１１ｂに当接するので、前記三脚ネジ受け具２０が前記雲台４１の天面に当接し固定された時には、前記三脚ネジ受け具２０には張力が働いており、前記カメラ本体１１との間が強固に一体となり、前記カメラ本体１１は前記雲台４１の天面に強固に固定される。
【００２３】
また、前記三脚固定ネジ穴２０ａは前記三脚ネジ受け具２０の中央に設けられているので、前記三脚固定ネジ穴２０ａから両端の前記ストッパー２０ｂまでの距離は等しく、したがって前記カメラ本体１１は前記雲台４１に対して光軸を水平にした標準姿勢にて固定される。
【００２４】
次に別の実施形態について説明する。図６はカメラ本体５１を雲台４１に固定する前の状態を示し、図７は雲台４１にカメラ本体５１を固定した後の状態を示している。前述の実施形態ではコの字形をした三脚ネジ受け具２０がカメラ本体５１を抱え込むようにしたが、本実施形態では三脚ネジ受け具２５はカメラ本体５１の内側に収納されている。これにより三脚ネジ受け具２５は、デジタルカメラ１０の底部以外の外観部に露出する部分がなく、他の外観部品との色合わせが不要である。
【００２５】
また三脚ネジ受け具２５には三脚固定ネジ穴２５ａが設けられており、カメラ本体５１の底部には嵌合穴５１ａが設けられている。三脚ネジ受け具２５は全体がコの字状に形成され、底面を除いて前記カメラ本体５１の内側に収納されている。また先端には外側に向かってストッパー２５ｂが設けられており、前記カメラ本体５１の前後の底部側面内側に設けられたストッパー５１ｂと対峙して配置されている。
【００２６】
前記デジタルカメラ１０を前記雲台４１に固定する手順および原理は、前述の実施形態と同じであり、同様に前記カメラ本体５１は前記雲台４１の天面に強固に固定される。
【００２７】
次に第３の実施形態について説明する。図８はカメラ底面側より見た図で、図９および図１０はカメラ本体６１を部分的に断面で現している。図９はカメラ本体６１を雲台４１に固定する前の状態を示し、図１０は雲台４１にカメラ本体６１を固定した後の状態を示している。
【００２８】
三脚ネジ受け具３０には三脚固定ネジ穴３０ａが設けられており、カメラ本体６１の底部には嵌合穴６１ａが設けられている。三脚ネジ受け具３０は軸３３によって一対のリンク部材３１の一端に軸支され、前記一対のリンク部材３１の他端は軸３４によってバネ３２の一端と係合している。前記バネ３２の他端は前記カメラ本体６１の底部に設けられた軸６１ｃに係止されている。前記軸３４はその中央部分で前記一対のリンク部材３１を支持し、両端部は前記カメラ本体６１の内部部品６１ｄと外装部品６１ｅによって形成されたガイド溝６１ｆに沿って移動可能になっており、バネ３２が伸縮する際に周囲の部材と強く接触することがないように配慮されている。
【００２９】
前記三脚ネジ４５の先端が前記嵌合穴６１ａの底面に当接した後、更に前記三脚ネジ４５を回すと前記三脚ネジ受け具３０が前記カメラ本体６１の底面より垂直に離れ、前記雲台４１の天面に当接し固定される。この時、前記三脚ネジ受け具３０は前記一対のリンク部材３１を介して前記バネ３２の張力によって前記カメラ本体６１に向かって強く押されており、且つ左右に均等な力で引っ張られているので、前記カメラ本体６１との間が強固に一体となり、前記カメラ本体６１は前記雲台４１の天面に強固に固定される。
【００３０】
また前記三脚ネジ受け具３０は、前記三脚ネジ４５との螺合を解除した時は、前記バネ３２の張力によって自動的に前記カメラ本体６１の内部に収納される。
【００３１】
次に第４の実施形態について説明する。第４の実施形態は前述の第３の実施形態におけるリンク部材３１とバネ３２を特殊ゴムなどの高張力弾性部材３５に置き換えたものである。また図１１はカメラ本体６１を雲台４１に固定する前の状態を示し、図１２は雲台４１にカメラ本体６１を固定した後の状態を示している。
【００３２】
三脚ネジ受け具３０には三脚固定ネジ穴３０ａが設けられており、カメラ本体６１の底部には嵌合穴６１ａが設けられている。三脚ネジ受け具３０は軸３３によって一対の高張力部材３５の一端に軸支され、前記一対の高張力弾性部材３５の他端は前記カメラ本体６１の底部に設けられた軸６１ｃに係止されている。
【００３３】
前記三脚ネジ４５の先端が前記嵌合穴６１ａの底面に当接した後、更に前記三脚ネジ４５を回すと前記三脚ネジ受け具３０が前記カメラ本体６１の底面より垂直に離れ、前記雲台４１の天面に当接し固定される。この時、前記三脚ネジ受け具３０は前記一対の高張力弾性部材３５の張力によって前記カメラ本体６１に向かって強く押されており、且つ左右に均等な力で引っ張られているので、前記カメラ本体６１との間が強固に一体となり、前記カメラ本体６１は前記雲台４１の天面に強固に固定される。
【００３４】
以上、デジタルカメラを例に説明をしてきたが、本発明は、デジタルカメラに限定されず、写真フイルムを用いるフイルムカメラに対しても適用することができる。
【図面の簡単な説明】
【００３５】
【図１】本発明の三脚ネジ取付装置を備えたデジタルカメラを前から見た斜視図である。
【図２】本発明の三脚ネジ取付装置を備えたデジタルカメラを後から見た斜視図である。
【図３】本発明の三脚ネジ取付装置を備えたデジタルカメラを三脚に固定した後の斜視図である。
【図４】本発明の三脚ネジ取付装置を三脚に固定する前の断面図である。
【図５】本発明の三脚ネジ取付装置を三脚に固定した後の断面図である。
【図６】本発明の別の実施形態の三脚ネジ取付装置を三脚に固定する前の断面図である。
【図７】本発明の別の実施形態の三脚ネジ取付装置を三脚に固定した後の断面図である。
【図８】本発明の第３の実施形態の三脚ネジ取付装置をカメラ底面から見た図である。
【図９】本発明の第３の実施形態の三脚ネジ取付装置を三脚に固定する前の断面図である。
【図１０】本発明の第３の実施形態の三脚ネジ取付装置を三脚に固定した後の断面図である。
【図１１】本発明の第４の実施形態の三脚ネジ取付装置を三脚に固定する前の断面図である。
【図１２】本発明の第４の実施形態の三脚ネジ取付装置を三脚に固定した後の断面図である。
【図１３】三脚固定ネジ穴が鏡筒直下にある従来のカメラの正面図である。
【図１４】三脚固定ネジ穴がカメラの隅に配置された従来のカメラの正面図である。
【符号の説明】
【００３６】
１０  デジタルカメラ
１１，５１，６１  カメラ本体
１１ａ，５１ａ，６１ａ  嵌合穴
１３  レンズ鏡筒
２０，２５，３０  三脚ネジ受け具
２０ａ，２５ａ，３０ａ  三脚固定ネジ穴
３１  リンク部材
３２  バネ
３５  高張力弾性部材
４１  雲台
４５  三脚ネジ
【図１】
2007279153.tif 000003
【図２】
2007279153.tif 000004
【図３】
2007279153.tif 000005
【図４】
2007279153.tif 000006
【図５】
2007279153.tif 000007
【図６】
2007279153.tif 000008
【図７】
2007279153.tif 000009
【図８】
2007279153.tif 000010
【図９】
2007279153.tif 000011
【図１０】
2007279153.tif 000012
【図１１】
2007279153.tif 000013
【図１２】
2007279153.tif 000014
【図１３】
2007279153.tif 000015
【図１４】
2007279153.tif 000016